(57)【特許請求の範囲】
【請求項１】
透水性を有する表面シートと、防水シートである裏面シートの間に、吸収材を挟んだペット用吸水シートにおいて、
前記表面シートの表面において、その幅方向の両側端部に、液体を吸収する吸収体を内部に包含した袋状の一対の耳部を備えており、
該一対の耳部が内方に折り曲げられ、前記表面シートの表面に重ねられて、ふち漏れ防止部が形成された
ことを特徴とするペット用吸水シート。
【請求項２】
透水性を有する表面シートと、防水シートである裏面シートの間に、吸収材を挟んだペット用吸水シートを製造するための製造設備であって、
該製造設備が、
表面シート原反ロールからくり出された一続きの表面シート表面において、その幅方向の両側端部に、液体を吸収する吸収体を内部に包含した袋状の一対の耳部を形成する耳部形成手段と、
前記耳部が形成された一続きの表面シートと、裏面シート原反ロールからくり出された一続きの裏面シートの間に前記吸収材を挟んで、一続きの合成シートを形成する合成シート形成手段と、
前記合成シートの表面シートの耳部を、内方に折り畳んでふち漏れ防止部を形成するふち漏れ防止部形成手段と、
隣接する前記吸収材間において、前記合成シートを切断し、ペット用吸水シートを製造する切断手段とからなり、
前記耳部形成手段が、
前記一続きの表面シートの裏面の幅方向両端部において、その幅方向の両端から折り返し部の幅だけ内方に離れた位置に、水を塗布するための一対の散水器と、前記表面シートの裏面において、前記散水器によって水が塗布された部分に液体を吸収しゼリー状となる吸収体を載せる一対の粉体ポリマー散布装置と、
前記一続きの表面シートの両端部を、前記散水器によって水が塗布された部分の中間において、前記一続きの表面シートの送り方向に沿って内方に折り曲げて、その裏面に折り重ねる折り板と、
該折り板によって折り重ねられた前記一続きの表面シートの幅方向両端部を押圧し、加熱し、前記吸収体によって、折り重ねられた表面シート同士を接着させる押圧ローラと、
前記折り返し部を、前記散水器によって水が塗布された部分と前記折り返し部との境界で、外方に折り返す折り返し板とからなる
ことを特徴とするペット用吸水シートの製造設備。
【請求項３】
前記ふち漏れ防止部形成手段が、
前記耳部の表面に、接着剤を塗布する接着剤塗布器と、
前記合成シートを通過させるためのシート通過溝を備えた折り畳み板とからなり、
該折り畳み板のシート通過溝を前記合成シートが通過する間に、前記合成シートの耳部が、内方に折り畳まれ、前記接着剤によって前記合成シートの表面に固定される
ことを特徴とする請求項２記載のペット用吸水シートの製造設備。
【請求項４】
透水性を有する表面シートと、防水シートである裏面シートの間に、吸収材を挟んだペット用吸水シートを製造する製造方法であって、
表面シート原反ロールからくり出された一続きの表面シート表面の幅方向の両側端部に、液体を吸収する吸収体を内部に包含した袋状の一対の耳部を形成し、
該耳部が形成された一続きの表面シートと、裏面シート原反ロールからくり出された一続きの裏面シートの間に前記吸収材を挟んで、一続きの合成シートを形成し、
該合成シートの表面シートの耳部を、内方に折り畳んでふち漏れ防止部を形成し、
前記合成シートに挟まれた隣接する前記吸収材間において、前記合成シートを切断する
ことを特徴とするペット用吸水シートの製造方法。
【発明の詳細な説明】
【０００１】
【発明の属する技術分野】
本発明は、ペット用吸水シート、その製造設備およびその製造方法に関する。さらに詳しくは、犬や猫等、室内で飼育される動物のトイレには、尿の処理を容易にするために、吸水性を有するペット用シートが敷かれる。このシート上に動物が尿をすれば、尿がシートに吸収されゼリー状になるので、尿の処理が容易である。このようなペット用シートにおいて、その端部にふち漏れ防止部を備えたものがある。このふち漏れ防止部は、シートの中央部より高くなっており、たとえ尿がシートの表面を流れても、ふち漏れ防止部によって尿がシートの端から漏れることを防ぐことができる。本発明はかかるふち漏れ防止部を備えたペット用吸水シート、その製造設備およびその製造方法に関する。
【０００２】
【従来の技術】
図６は、従来のペット用シートの概略説明図である。同図(A) に示すように、従来のペット用吸水シート100 は、防水シートである裏面シート101 と透水シートである表面シート102 との間に、吸水性を有する吸収材105 を挟んだ構成となっている。このペット用吸水シート100 では、裏面シート101 の幅方向両端部を折り曲げて、その両端部を表面シート102 上に重ねることによって端漏れ防止部106 を形成している。このため、表面シート102 上を尿が流れても、端漏れ防止部106 によって端から尿が漏れることを防ぐことができる。
【０００３】
しかるに、動物が尿をペット用吸水シート100 の端でした場合、端漏れ防止部106 の上に尿がかかる場合がある。端漏れ防止部106 は、裏面シート101 によって形成されており、裏面シート101 は防水シートであるから、端漏れ防止部106 上にかかった尿は、端漏れ防止部106 上を流れて外にもれてしまうという問題がある。
【０００４】
上記の問題を解決する技術として、以下に示す従来例１のペット用吸水シート110 と従来例２のペット用吸水シート120 がある。
図６(B) に示すように、従来例１のペット用吸水シート110 は、裏面シート101 の幅方向両端部を折り曲げて端漏れ防止部106 を形成するかわりに、表面シート102 上に透水性のあるメッシュフィルム117 を貼り付けて端漏れ防止部116 を形成している。このため、端漏れ防止部116 によって端から尿が漏れることを防ぐことができ、しかも、端漏れ防止部116 上に尿をしても、尿がメッシュフィルム117 と表面シート102 を透過するので、尿を吸収材105 に吸収させることができる。
【０００５】
また、図６(C) に示すように、従来例２のペット用吸水シート120 は、吸収材105 の上面において、吸収材105 の外周端縁に沿って吸水材127 を設けている。この吸水材127 は、例えば紙綿など吸水性と透水性を有する素材である。この吸水材127 によって端漏れ防止部126 が形成されている。このため、端漏れ防止部126 によって端から尿が漏れることを防ぐことができ、しかも、端漏れ防止部126 上に尿をしても、尿が表面シート102 を透過するので、尿を吸水材127 または吸収材105 に吸収させることができる。
【０００６】
【発明が解決しようとする課題】
しかるに、従来例１のペット用吸水シート110 であっても、従来例２のペット用吸水シート110 であっても、裏面シート101 、表面シート102 、吸収材105 以外に、メッシュフィルム117 や吸水材127 等が必要であり、このメッシュフィルム117 、吸水材127 を取り付ける工程が余分に必要となり、ペット用吸水シートの生産性が低くなってしまうし、メッシュフィルム117 は非常に高価であり、ペット用吸水シート110 を生産するコストが高くなるという問題がある。
また、メッシュフィルム117 や吸水材127 を取り付けるために特別な装置が必要となるので製造設備が大型かつ複雑になるという問題がある。
【０００７】
本発明はかかる事情に鑑み、ふち漏れ防止機能を備えており、しかも生産性が高く、製造設備の構成を単純化することができるペット用吸水シート、その製造設備およびその製造方法を提供することを目的とする。
【０００８】
【課題を解決するための手段】
請求項１のペット用吸水シートは、透水性を有する表面シートと、防水シートである裏面シートの間に、吸収材を挟んだペット用吸水シートにおいて、前記表面シートの表面において、その幅方向の両側端部に、液体を吸収する吸収体を内部に包含した袋状の一対の耳部を備えており、該一対の耳部が内方に折り曲げられ、前記表面シートの表面に重ねられて、ふち漏れ防止部が形成されたことを特徴とする。
請求項２のペット用吸水シートの製造設備は、透水性を有する表面シートと、防水シートである裏面シートの間に、吸収材を挟んだペット用吸水シートを製造するための製造設備であって、該製造設備が、表面シート原反ロールからくり出された一続きの表面シート表面において、その幅方向の両側端部に、液体を吸収する吸収体を内部に包含した袋状の一対の耳部を形成する耳部形成手段と、前記耳部が形成された一続きの表面シートと、裏面シート原反ロールからくり出された一続きの裏面シートの間に前記吸収材を挟んで、一続きの合成シートを形成する合成シート形成手段と、前記合成シートの表面シートの耳部を、内方に折り畳んでふち漏れ防止部を形成するふち漏れ防止部形成手段と、隣接する前記吸収材間において、前記合成シートを切断し、ペット用吸水シートを製造する切断手段とからなり、前記耳部形成手段が、前記一続きの表面シートの裏面の幅方向両端部において、その幅方向の両端から折り返し部の幅だけ内方に離れた位置に、水を塗布するための一対の散水器と、前記表面シートの裏面において、前記散水器によって水が塗布された部分に液体を吸収しゼリー状となる吸収体を載せる一対の粉体ポリマー散布装置と、前記一続きの表面シートの両端部を、前記散水器によって水が塗布された部分の中間において、前記一続きの表面シートの送り方向に沿って内方に折り曲げて、その裏面に折り重ねる折り板と、該折り板によって折り重ねられた前記一続きの表面シートの幅方向両端部を押圧し、加熱し、前記吸収体によって、折り重ねられた表面シート同士を接着させる押圧ローラと、前記折り返し部を、前記散水器によって水が塗布された部分と前記折り返し部との境界で、外方に折り返す折り返し板とからなることを特徴とする。
請求項３のペット用吸水シートの製造設備は、請求項２記載の発明において、前記ふち漏れ防止部形成手段が、前記耳部の表面に、接着剤を塗布する接着剤塗布器と、前記合成シートを通過させるためのシート通過溝を備えた折り畳み板とからなり、該折り畳み板のシート通過溝を前記合成シートが通過する間に、前記合成シートの耳部が、内方に折り畳まれ、前記接着剤によって前記合成シートの表面に固定されるを特徴とする。
請求項４のペット用吸水シートの製造方法は、透水性を有する表面シートと、防水シートである裏面シートの間に、吸収材を挟んだペット用吸水シートを製造する製造方法であって、表面シート原反ロールからくり出された一続きの表面シート表面の幅方向の両側端部に、液体を吸収する吸収体を内部に包含した袋状の一対の耳部を形成し、該耳部が形成された一続きの表面シートと、裏面シート原反ロールからくり出された一続きの裏面シートの間に前記吸収材を挟んで、一続きの合成シートを形成し、該合成シートの表面シートの耳部を、内方に折り畳んでふち漏れ防止部を形成し、前記合成シートに挟まれた隣接する前記吸収材間において、前記合成シートを切断することを特徴とする。
【０００９】
請求項１の発明によれば、ふち漏れ防止部は、耳部の分だけ、ペット用吸収シートの幅方向中央部よりも高くなっているので、尿が表面シートの上面を流れても、尿をせき取めることができる。しかも、ふち漏れ防止部は、透水性を有する表面シートと吸収体から構成されているので、ふち漏れ防止部上に尿をしても、その尿はふち漏れ防止部に吸収されるし、吸収できなくてもふち漏れ防止部および表面シートを透過して、吸収材に吸収される。よって、ペット用シートの端から尿が漏れることを、確実に防ぐことができる。また、ふち漏れ防止部は表面シートと吸収体のみから形成されているので、ふち漏れ防止部を形成するための余分な材料やその材料を取り付けるための余分な工数が不要であり、製造コストが安くでき、生産性を高くできる。
請求項２の発明によれば、一続きの表面シートを連続的に送りながら、その裏面に吸収体を載せて、その吸収体を挟むように一続きの表面シートの幅方向両端部を内方に折り曲げて押圧し、折り返し部を外方に折り返せば、耳部を形成することができる。しかも、一続きの表面シートと一続きの裏面シートとの間に吸収材を挟んで合成シートを形成し、この一続きの合成シートを連続的に送りながら、その耳部を一続きの合成シートの表面に折り畳んで固定すれば、ふち漏れ防止部を形成することができる。したがって、全工程でラインを間欠送りする工程が存在しないので、ペット用吸水シートの生産効率を高くすることができる。また、吸収体は水を吸収するとゼリー状となるので、ゼリー状となった吸収体によって、折り板によって折り重ねられた表面シート同士を接着することができる。このため、耳部を形成するときに、接着剤などの余分な材料が不要であり、製造コストが安くできる。
請求項３の発明によれば、耳部の表面に接着剤を塗布し、折り畳み板のシート通過溝に合成シートを通過させるだけで、耳部を表面シートの表面に折り畳んで固定することができるので、装置の構造が簡単になる。しかも、合成シートを連続して流しながら、耳部を折り畳むことができるので、生産効率を高くすることができる。
請求項４の発明によれば、一続きの表面シートを連続的に送りながら、その裏面に吸収体を載せて、その幅方向両端部を折り曲げて、押圧し、折り返せば、耳部を形成できる。しかも、一続きの合成シートを連続的に送りながら、その耳部を一続きの合成シートの表面に折り畳んで固定すれば、ふち漏れ防止部を形成することができる。したがって、全工程でラインを間欠送りする工程が存在しないので、ペット用吸水シートの生産効率を高くすることができる。
【００１０】
【発明の実施の形態】
つぎに、本発明の実施形態を図面に基づき説明する。
まず、本実施形態のペット用吸水シート１０を説明する。
図５は本実施形態のペット用吸水シート１０の概略説明図である。同図に示すように、本実施形態のペット用吸水シート１０は、透水性を有する表面シート１２と防水シートである裏面シート１１との間に、吸収材１５を挟んで形成されたものであり、表面シート１２の表面に一対の耳部１２ｂ，１２ｂを形成し、その耳部１２ｂによってふち漏れ防止部１９を形成したことが特徴である。
【００１１】
裏面シート１１は、その素材が合成樹脂フィルム等の水分を透過しない防水性を有する素材である。
表面シート１２は、その素材が不織布等の透水性を有する素材である。
吸収材１５は、上下一対の吸水紙１６、１７の間に、例えば吸水性ポリマー入り粉砕パルプ等、水分を吸収してゼリー状に固める吸収体１８を挟んで形成されたものである。
【００１２】
さて、耳部１２ｂについて説明する。
前記表面シート１２の表面において、その幅方向両端部には、左右一対の耳部耳部１２ｂ，１２ｂが設けられている。各耳部１２ｂは、表面シート１２を、その前後方向（図５では上下方向）に沿って折り曲げて袋状に形成されたものであり、その内部に吸収体１８が包含されたものである。
【００１３】
この左右一対の耳部１２ｂ，１２ｂは、それぞれ内方に折り曲げられており、表面シート１２の表面に重ねられた状態で、接着剤等によって固定されている。この表面シート１２上に折り重ねられた左右一対の耳部１２ｂ，１２ｂが、ふち漏れ防止部１９を形成している。
【００１４】
上記のごとき構成であるので、本実施形態のペット用吸水シート１０によれば、ふち漏れ防止部１９は、耳部１２ｂの分だけ、ペット用吸水シート１０の幅方向中央部よりも高くなっているので、尿が表面シート１２の上面を流れても、尿をせき取めることができる。
しかも、ふち漏れ防止部１９は、透水性を有する表面シート１２と吸収体１８から構成されているので、ふち漏れ防止部１９上に尿をしても、その尿はふち漏れ防止部１９に吸収されるし、吸収できなくてもふち漏れ防止部１９および表面シート１２を透過して、吸収材１５に吸収される。よって、ペット用シート１０の端から尿が漏れることを、確実に防ぐことができる。
また、ふち漏れ防止部１９は表面シート１２と吸収体１８のみから形成されているので、ふち漏れ防止部１９を形成するための余分な材料やその材料を取り付けるための余分な工数が不要であり、製造コストが安くでき、生産性を高くできる。
【００１５】
つぎに、本実施形態のペット用吸水シートの製造設備１について説明する。
図１は本実施形態のペット用吸水シートの製造設備１の概略側面図である。同図に示すように、本実施形態のペット用吸水シートの製造設備１は、前記ペット用吸水シート１０を製造するための設備であり、表面シート１２の表面に一対の耳部１２ｂを形成する耳部形成手段５０、および耳部形成手段５０によって形成された耳部１２ｂを内側に折り曲げてふち漏れ防止部１９を形成するふち漏れ防止部形成手段６０を備えたことが特徴である。
【００１６】
まず、耳部形成手段５０及びふち漏れ防止部形成手段６０を説明する前に、ペット用吸水シート製造設備１の概略を説明する。
図１において、符号１１Ｒおよび符号１２Ｒは、それぞれ裏面シート１１および表面シート１２を巻き取った裏面シート原反ロールおよび表面シート原反ロールを示している。
この裏面シート原反ロール１１Ｒからくり出された裏面シート１１の上面には、接着剤塗布器３１によってホットメルト等の接着剤が、一定の間隔をもって線状に塗布される。
なお、接着剤は、裏面シート１１の上面全面にドット状に塗布してもよいし、べた塗りしてもよい。
【００１７】
また、表面シート原反ロール１２Ｒからくり出された表面シート１２は、ふち漏れ防止部形成手段６０によって、その表面に一対の耳部１２ｂ，１２ｂが形成されるが詳細は後述する。
【００１８】
一対の耳部１２ｂ，１２ｂが形成された一続きの表面シート１２は、その裏面（図１では上側の面）に、接着剤塗布器３２によってホットメルト等の接着剤が、一定の間隔をもって線状に塗布される。
なお、接着剤は、表面シート１２の裏面全面又は裏面の一部にドット状に塗布してもよい。
【００１９】
符号３３は、吸収材１５を間に取り込んだ表面シート１２と裏面シート１１を挟み、両者を接着するための上下一対の押し付けローラを示している。この上下一対の押し付けローラ３３ ,３３の間に、吸収材１５を挟んだ裏面シート１１と表面シート１２を通せば、一続きの合成シート３４を形成することができる。
上記接着剤塗布器３１，３２および上下一対の３３，３３が、特許請求の範囲にいう合成シート形成手段である。
【００２０】
前記一続きの合成シート３４は、ふち漏れ防止部形成手段６０によってふち漏れ防止部１９が形成されるが、詳細は後述する。
【００２１】
ふち漏れ防止部１９が形成された合成シート３４は、切断手段３５に送られる。この切断部３５は、カッタローラ３５ａとアンビルローラ３５ｂとから構成されており、カッタローラ３５ａの表面には、ペット用吸水シート１０の長さに合わせて一定の間隔等に、裏面シート１１と表面シート１２を切断するための刃が設けられている。
また、カッタローラ３５ａは、その刃が、裏面シート１１と表面シート１２の間に挟まれた隣接する吸収材間における裏面シート１１と表面シート１２を切断するように、合成シート３４の送り速度と同期して、回転されている。
【００２２】
このため、切断部３５のカッタローラ３５ａとアンビルローラ３５ｂを連動して回転させながら両者の間に合成シート３４を通せば、切断部３５によって合成シート３４を切断することができるので、ペット用吸水シート１０を製造することができる。
【００２３】
よって、ペット用吸水シート製造設備１は、耳部形成手段５０によって一対の耳部１２ｂ，１２ｂが形成された表面シート１２と、裏面シート１１との間に吸収材１５を挟んで一続きの合成シート３４を形成し、この合成シート３４にふち漏れ防止部形成手段６０によってふち漏れ防止部１９が形成し、ふち漏れ防止部１９が形成された合成シート３４を切断部３５によって切断して、ペット用吸水シート１０を製造することができる。
【００２４】
さて、本発明の特徴である耳部形成手段５０およびふち漏れ防止部形成手段６０を説明する。
【００２５】
まず、耳部形成手段５０を説明する。
図２は耳部形成手段５０の概略斜視図である。図１および図２に示すように、耳部形成手段５０は、左右一対の散水器５１，５１、左右一対の粉体ポリマー散布装置５２，５２、折り板５３、押圧ローラ５４および折り返し板５５から構成されている。
【００２６】
左右一対の散水器５１，５１は、一続きの表面シート１２の裏面に水を塗布するためのものである。各散水器５１は、表面シート１２の幅方向両端から一定のだけ内方に離れた部分に、一定の幅に水を塗布することができる。この表面シート１２の裏面において、水が塗布された部分と、表面シート１２の幅方向の両端の間の部分が、折り返し部１２ｃである。
【００２７】
左右一対の散水器５１，５１の下流には、左右一対の粉体ポリマー散布装置５２，５２が設けられている。この粉体ポリマー散布装置５２は、表面シート１２の裏面において、散水器５１によって水が塗布された部分に、吸収体１８をフラップして載せるためのものである。この粉体ポリマー散布装置５２は、水が塗布された部分において、その幅方向の中心線に対して、内方もしくは外方のいずれ半分の領域にのみ吸収体１８を載せることができる。
このとき、前記一続きの表面シート１２の下方には、メッシュベルトＭＢを有するコンベアＣが設けられており、このコンベアＣにおいて、上側のメッシュベルトＭＢの下方には、バキュームボックスＢが設けられている（図２参照）。このため、表面シート１２に載せられた吸収体１８をバキュームボックスＢによって下方に吸引することができるので、吸収体１８が飛び散ることを防ぐことができ、吸収体１８を表面シート１２上に確実に載せることができる。
【００２８】
前記左右一対の粉体ポリマー散布装置５２，５２の下流には、折り板５３が設けられている。この折り板５３には、表面シート１２を通過させるためのシート通過溝53g が形成されている。この折り板５３は、そのシート通過溝に表面シート１２を通過させれば、散水器５１によって水が塗布された部分の幅方向の中心線に沿って、一続きの表面シート１２の両端部を内方に折り曲げて、表面シート１２の裏面に折り重ねることができるものである。
【００２９】
折り板５３の下流には、押圧ローラ５４が設けられている。この押圧ローラ５４は、折り板５３によって折り重ねられた一続きの表面シート１２の幅方向両端部、つまり表面シート１２同士が折り重ねられた部分を押圧し、加熱するためのものである。
【００３０】
押圧ローラ５４の下流には、折り返し板５５が設けられている。この折り返し板５５には、幅方向両端部が折り曲げられた表面シート１２を通過させるためのシート通過溝５５ｇが形成されている。この折り返し板５５は、そのシート通過溝５５ｇに表面シート１２を通過させれば、前記折り返し部１２ｃを、散水器５１によって水が塗布された部分と折り返し部１２ｃとの境界で、外方に折り返すことができるものである。
【００３１】
このため、一続きの表面シート１２は、その裏面に左右一対の散水器５１，５１によって水が塗布された後、左右一対の粉体ポリマー散布装置５２，５２によって水が塗布された部分に吸収体１８が載せられる。吸収体１８が載せられた表面シート１２は、折り板５３によってその幅方向両端部が内方に折り曲げられる。すると、水を含んだ表面シート１２によって吸収体１８を挟むことができるので、挟まれた吸収体１８は水を吸収しゼリー状となる。このゼリー状となった吸収体１８が挟まれた部分を、押圧ローラ５４によって加熱しながら押圧すると、重なり合った表面シート１２同士が吸収体１８によって接着される。そして、折り返し部１２ｃを折り返し板５５によって外方に折り返せば、吸収体１８を内部に包含した袋状の耳部１２ｂを形成することができる。
しかも、ゼリー状になった吸収体１８によって重なり合った表面シート１２同士を接着しているので、耳部１２ｂを形成するときに、接着剤などの余分な材料が不要であり、製造コストが安くできる。
【００３２】
つぎに、ふち漏れ防止部形成手段６０を説明する。
図３はふち漏れ防止部形成手段６０の概略斜視図である。図１および図３に示すように、ふち漏れ防止部形成手段６０は、接着剤塗布器６１および折り畳み板６２から構成されている。
【００３３】
まず、接着剤塗布器６１を説明する。
接着剤塗布器６１は、例えばホットメルト等の接着剤61b を一続きの合成シート３４の耳部１２ｂの表面にのみ塗布するためのものである。この接着剤塗布器６１は、隣接する吸収材１５間における表面にのみ接着剤61b を塗布している。なお、接着剤61b は耳部１２ｂの表面全体に塗布してもよいし、一定の間隔ごとに塗布してもよい。
【００３４】
つぎに、折り畳み板６２を説明する。
折り畳み板６２には、合成シート34を通過させるためのシート通過溝62g が形成されている。この折り畳み板６２は、そのシート通過溝６２ｇに合成シート３４を通過させれば、合成シート３４の表面の一対の耳部１２ｂ，１２ｂを内方に折り畳むことができるのものである。
【００３５】
よって、ふち漏防止部形成手段６０によれば、接着剤塗布器６１によって耳部１２の表面に接着剤61b を塗布し、折り畳み板６２のシート通過溝６２ｇに合成シート３４を通過させれば、合成シート３４の表面シート１２の耳部１２ｂを内方に折り畳むことができる。すると、耳部１２ｂの表面に塗布された接着剤61b によって，耳部１２ｂと表面シート１２が固定される。
しかも、折り畳み板６２のシート通過溝６２ｇに一続きの合成シート３４を通過させるだけで、ふち漏れ防止部１９を形成することができるので、装置の構造が簡単になる。しかも、合成シート３４を連続して流しながら、耳部１２ｂを折り畳んでふち漏れ防止部１９を形成するので、生産効率を高くすることができる。
【００３６】
つぎに、本実施形態のペット用吸水シートの製造設備１の作用と効果を説明する。
図４は本実施形態のペット用吸水シートの製造設備１のフローチャートである。図１および図４に示すように、表面シート原反ロールからくり出された一続きの表面シート１２は、耳部形成手段５０に送られて、その裏面に左右一対の散水器５１，５１によって水が塗布された後、左右一対の粉体ポリマー散布装置５２，５２によって水が塗布された部分に吸収体１８が載せられる。
吸収体１８が載せられた表面シート１２は、折り板５３によってその幅方向両端部が内方に折り曲げられる。すると、水を含んだ表面シート１２によって吸収体１８を挟むことができるので、挟まれた吸収体１８は水を吸収しゼリー状となる。このゼリー状となった吸収体１８が挟まれた部分を、押圧ローラ５４によって加熱しながら押圧すると、重なり合った表面シート１２同士が吸収体１８によって接着される。そして、折り返し部１２ｃを折り返し板５５によって外方に折り返せば、一続きの表面シート１２の表面に、一対の耳部１２ｂを形成することができる。
【００３７】
一対の耳部１２ｂ，１２ｂが形成された表面シート１２は、その裏面に接着剤が塗布されてから上下一対の押し付けローラ３３、３３に送られる。
また、裏面シート原反ロール１１Ｒからくり出された一続きの裏面シート１１も上下一対の押し付けローラ３３、３３に送られる。
そして、表面シート１２および裏面シート１１は、吸収材１５を両者の間に取り込んでから、上下一対の押し付けローラ３３、３３の間を通され、吸収材１５を間に挟んだ状態で裏面シート１１および表面シート１２が上下から押圧される。すると、裏面シート１１の上面および表面シート１２の裏面には、接着剤が塗布されているので、吸収材１５を挟んだ状態で、裏面シート１１と表面シート１２が確実に接着され、一続きの合成シート３４が形成される。
【００３８】
図１および図４に示すように、一続きの合成シート３４は、ふち漏れ防止部形成手段６０に送られ、接着剤塗布器６１によって隣接する吸収材１５間における耳部１２ｂの表面に接着剤61b が塗布される。耳部１２ｂに接着剤61b が塗布された合成シート３４は、折り畳み板６２のシート通過溝６２ｇを通される。すると、耳部１２ｂが内方に折り畳まれ、ふち漏れ防止部１９が形成される。
【００３９】
最後に切断部３５によって合成シート３４が切断されると、裏面シート１１と表面シート１２との間に吸収材１５を挟んだペット用吸水シート１０が形成される。
【００４０】
上記のごとく、本実施形態のペット用吸水シートの製造設備１によれば、一続きの表面シート１２を連続的に送りながら、その裏面に吸収体１８を載せて、その吸収体１８を挟むように一続きの表面シート１２の幅方向両端部を折り曲げて押圧し、折り返し部１２ｃを折り返せば、耳部１２ｂを形成することができる。
しかも、一続きの表面シート１２と一続きの裏面シート１１との間に吸収材１５を挟んで合成シート３４を形成し、この一続きの合成シート３４を連続的に送りながら、その耳部１２ｂを一続きの合成シート３４の表面に折り畳んで固定すれば、ふち漏れ防止部１９を形成することができる。
したがって、全工程でラインを間欠送りする工程が存在しないので、ペット用吸水シート１０の生産効率を高くすることができる。
【００４１】
【発明の効果】
請求項１の発明によれば、ペット用シートの端から尿が漏れることを、確実に防ぐことができ、ふち漏れ防止部を形成するための余分な材料やその材料を取り付けるための余分な工数が不要であり、製造コストが安くでき、生産性を高くできる。
請求項２の発明によれば、全工程でラインを間欠送りする工程が存在しないので、ペット用吸水シートの生産効率を高くすることができ、耳部を形成するときに、接着剤などの余分な材料が不要であり、製造コストが安くできる。
請求項３の発明によれば、装置の構造が簡単になり、生産効率を高くすることができる。
請求項４の発明によれば、全工程でラインを間欠送りする工程が存在しないので、ペット用吸水シートの生産効率を高くすることができる。
【図面の簡単な説明】
【図１】  本実施形態のペット用吸水シートの製造設備１の概略側面図である。
【図２】  耳部形成手段５０の概略斜視図である。
【図３】  ふち漏れ防止部形成手段６０の概略斜視図である。
【図４】  本実施形態のペット用吸水シートの製造設備１のフローチャートである。
【図５】  本実施形態のペット用吸水シート１０の概略説明図である。
【図６】  従来のペット用シートの概略説明図である。
【符号の説明】
１０      ペット用吸水シート
１１      裏面シート
１１Ｒ    裏面シート原反ロール
１２      表面シート
１２ｂ    耳部
１２ｃ    折り返し部
１２Ｒ    表面シート原反ロール
１５      吸収材
１８      吸収体
３０      シート完成装置
３４      合成シート
３５      切断部
５０      耳部形成手段
５１      散水器
５２      粉体ポリマー散布装置
５３      折り板
５４      押圧ローラ
５５      折り返し板
６０      ふち漏れ防止部形成手段
６１      接着剤塗布器
６２      折り畳み板
【図１】
0004514357.tif 000002
【図２】
0004514357.tif 000003
【図３】
0004514357.tif 000004
【図４】
0004514357.tif 000005
【図５】
0004514357.tif 000006
【図６】
0004514357.tif 000007